(57)【要約】【課題】骨密度測定装置などのＸ線測定装置において、熱源の温度上昇による強制停止という事態が生じないようにし、あるいはそのような事態の発生を遅らせる。【解決手段】熱源であるＸ線発生器には熱源温度（装置内温度）を測定するセンサが設けられ、それから隔てられた位置に室温（装置外温度）を測定するセンサが設けられる。２つの温度の組み合わせに基づいてユーザーに対してメッセージ５６が提供され、また制御内容５８が適用される。メッセージには室温を下げる指示、測定間隔を長くする指示、等が含まれる。制御内容には冷却ファンの個数を変更する制御、冷却ファンの回転速度を変更する制御等が含まれる。強制停止となった場合に再開時刻を予測し、その時間情報を提供するようにしてもよい。【選択図】図２
2013150695.tif 000002
【特許請求の範囲】
【請求項１】
被検体に照射されるＸ線を発生するＸ線発生ユニットと、
前記Ｘ線発生ユニットの温度を熱源温度として検出する熱源温度検出器と、
室温を検出する室温検出器と、
前記熱源温度と前記室温の組み合わせに基づいて、前記Ｘ線発生ユニットの過熱による強制停止の発生を防止し又はその発生時期を遅らせる温度上昇抑制制御を実行する制御部と、
を含むことを特徴とするＸ線測定装置。
【請求項２】
請求項１記載の装置において、
前記温度上昇抑制制御には、ユーザーに対するメッセージ提供が含まれ、
前記熱源温度と前記室温の組み合わせに応じて前記メッセージの内容が切り替えられる、ことを特徴とするＸ線測定装置。
【請求項３】
請求項２記載の装置において、
前記メッセージの内容には、空調設備の設定温度を下げることを推奨する指示、発熱を低減する動作モードへの変更を推奨する指示、及び、測定間隔を長くして非照射時間割合を増大することを推奨する指示、の内の少なくとも１つが含まれる、
ことを特徴とするＸ線測定装置。
【請求項４】
請求項１から３のいずれか１項に記載の装置において、
前記温度上昇抑制制御には、装置動作条件の変更が含まれ、
前記熱源温度と前記室温の組み合わせに応じて前記装置動作条件が変更される、
ことを特徴とするＸ線測定装置。
【請求項５】
請求項４記載の装置において、
前記装置動作条件の変更には、冷却ファン動作数の変更及び冷却ファン回転速度の変更の内の少なくとも１つが含まれる、
ことを特徴とするＸ線測定装置。
【請求項６】
請求項１から５のいずれか１項に記載の装置において、
前記Ｘ線発生ユニットの強制停止が発生した場合に前記熱源温度と前記室温の組み合わせに応じて強制停止解除となる解除時期を予測してそれを表す時間情報をユーザーに対して提供する時間情報提供手段を含む、
ことを特徴とするＸ線測定装置。
【請求項７】
請求項６記載の装置において、
前記時間情報提供手段は前記強制停止の発生時及びそれ以降において各時点で検出された熱源温度及び室温の組み合わせに応じて各時点で前記解除時期を予測して前記時間情報を更新する、
ことを特徴とするＸ線測定装置。
【請求項８】
請求項１記載の装置において、
当該Ｘ線測定装置は、被検体中の骨部の骨密度を測定する骨密度測定装置であって、前記Ｘ線発生ユニットを収容した下部と、前記下部の上方に被検体収容空間を間において設けられＸ線検出ユニットを収容した上部と、を含み、
前記熱源温度検出器は前記Ｘ線発生ユニット内であってＸ線発生管を収容している媒体充填容器の内部又は外部に設けられ、
前記室温検出器は前記上部に設けられた、
ことを特徴とするＸ線測定装置。
【発明の詳細な説明】
【技術分野】
【０００１】
本発明はＸ線測定装置に関し、特に、Ｘ線発生ユニットの温度（熱源温度）を監視してＸ線発生を強制停止させる機能を備えたＸ線測定装置に関する。
【背景技術】
【０００２】
Ｘ線を用いて被検体を測定するＸ線測定装置として、骨塩量測定装置、レントゲン撮像装置、ＣＴ装置、等が知られている。その内で骨密度測定装置を代表させ、それについて説明する。骨密度測定装置は、Ｘ線発生ユニットを収容した載置台（下部）、載置台の上方に被検体収容空間を介して設けられＸ線検出器を収容した上部、Ｘ線発生ユニットとＸ線検出器とを連結するアーム機構、アーム機構を走査する走査機構、等を備える。通常、Ｘ線発生ユニットにはサーミスタ等からなる温度センサが設けられ、それによってＸ線発生ユニット、特にＸ線発生管の温度（熱源温度）が検出される。その熱源温度が監視され、熱源温度が所定の上限温度に到達した場合にＸ線発生ユニットの動作が強制的に停止される。
【０００３】
なお、特許文献１には、筺体の内部の温度を測定するセンサ、筺体の外部の温度を測定するセンサ、及び、筺体の外部の湿度を測定するセンサ、を有する放射線撮像装置が開示されている。それらセンサの検出結果から温度調整部としてのペルチェ素子が制御されている。しかし、その温度制御は、Ｘ線検出器を低い温度に維持しつつ結露を防止するためのものである。特許文献２には、ガントリ内の温度を測定するセンサを有するＸ線ＣＴ装置が開示されているが、室温の検出及びそれに基づく制御については開示されていない。
【先行技術文献】
【特許文献】
【０００４】
【特許文献１】特開２００９−７２３６１号公報
【特許文献２】特開２０００−３４２５６８号公報
【発明の概要】
【発明が解決しようとする課題】
【０００５】
Ｘ線発生ユニットの過熱時にそれを強制停止させることは必要であるが、従来においてはそれが予告なく実施されており、突然の強制停止によって測定スケジュールが混乱するという問題があった。例えば、骨密度測定装置において、複数の被検者に対して順番に測定を行っている途中で突然に強制停止となった場合にはその時点で測定対象となっていた被検者に再度の測定を強いることになり、またその後に測定対象となっている被検者の待機状態を長引かせてしまう。
【０００６】
なお、従来においては、強制停止後においてどの時期に復帰可能なのかについて不明であったため、つまり温度が下がるまでに数十分程度待てばよいのかそれとも数時間待たなければならないのか、何らの情報も得られず、検査者及び被検者の両方に大きな負担が生じていた。
【０００７】
本発明の目的は、Ｘ線発生ユニットの強制停止という事態をできるだけ回避できあるいはそのような事態の発生をできるだけ遅らせることが可能なＸ線測定装置を提供することにある。
【課題を解決するための手段】
【０００８】
本発明に係るＸ線測定装置は、被検体に照射されるＸ線を発生するＸ線発生ユニットと、前記Ｘ線発生ユニットの温度を熱源温度として検出する熱源温度検出器と、室温を検出する室温検出器と、前記熱源温度と前記室温の組み合わせに基づいて、前記Ｘ線発生ユニットの過熱による強制停止の発生を防止し又はその発生時期を遅らせる温度上昇抑制制御を実行する制御部と、を含む。
【０００９】
上記構成によれば、熱源温度の他、室温を考慮して、温度上昇を抑制するための必要な制御を実行できるから、その制御内容を状況に相応しい的確なものにできる。例えば、一般に、室温が高ければ熱源からの放熱が弱まるし、室温が低ければ熱源からの放熱が強まるから、室温は熱源の温度管理に当たって重要なファクターと言える。他のファクターを更に考慮してもよい。熱源温度検出器は、熱源（Ｘ線発生ユニット）の中又は外側表面に設置することが可能である。熱源温度を間接的に検出することも可能である。室温検出器は、装置上において熱源からの熱の回り込みや伝導があまり生じない位置に設けるのが望ましい。それを装置外に設置することも可能である。エアコンに設置されている温度センサを利用するようにしてもよい。各検出器は１又は複数のセンサによって構成される。複数のセンサが利用される場合、例えば、最高値、平均値等が温度値として利用される。温度上昇抑制制御は、空冷能力の増大、電流制限、空調温度調整、等を含んでもよく、更にユーザーに所定行為を促すメッセージ提供を含んでもよい。温度上昇抑制制御によれば、加熱によるＸ線発生器ユニットの強制停止という事態が生じることを時間的に遅らせることができ、あるいは、そのような事態の発生を未然に回避できるから、検査効率を高めることができ、また被検者の負担を軽減できる。特に、測定中の強制停止は始めからの再測定という問題を生じさせる可能性があり、それをできるだけ避けるべきである。上記構成によればそのような問題が生じる可能性を低減できる。
【００１０】
望ましくは、前記温度上昇抑制制御には、ユーザーに対するメッセージ提供が含まれ、前記熱源温度と前記室温の組み合わせに応じて前記メッセージの内容が切り替えられる。望ましくは、前記メッセージの内容には、空調設備の設定温度を下げることを推奨する指示、発熱を低減する動作モードへの変更を推奨する指示、及び、測定間隔を長くして非照射時間割合を増大することを推奨する指示、の内の少なくとも１つが含まれる。そのような指示に従って、ユーザーが所定の行為を行えば、熱源温度あるいは室温が直接的に引き下げられ、あるいは、その上昇を抑制できるから、熱源温度の上限への到達という事態を回避できる。もちろん、ユーザーの判断で、そのような所定の行為を行わないようにすることも可能である。自動的に判断、制御するか、ユーザーの判断、行為に委ねるかは個々の制御内容に応じて適宜定めるのが望ましい。
【００１１】
望ましくは、前記温度上昇抑制制御には、装置動作条件の変更が含まれ、前記熱源温度と前記室温の組み合わせに応じて前記装置動作条件が変更される。望ましくは、前記装置動作条件の変更には、冷却ファン動作数の変更及び冷却ファン回転速度の変更の内の少なくとも１つが含まれる。この構成によれば空冷能力の調整によって温度上昇が抑制される。あるいは過剰な空冷も防止できる。
【００１２】
望ましくは、前記Ｘ線発生ユニットの強制停止が発生した場合に前記熱源温度と前記室温の組み合わせに応じて強制停止解除となる解除時期を予測してそれを表す時間情報をユーザーに対して提供する時間情報提供手段を含む。望ましくは、前記時間情報提供手段は前記強制停止の発生時及びそれ以降において各時点で検出された熱源温度及び室温の組み合わせに応じて各時点で前記解除時期を予測して前記時間情報を更新する。この構成によれば、熱源温度と室温の組合せから、動作可能な状況になるまでの時間を予測できる。それをユーザーに提供すれば再開時期の目安となる。各時刻の熱源温度及び室温以外の情報を更に参照して予測演算を行うようにしてもよい。強制停止及びその後の冷却措置によって熱源温度は変化し、室温も温度調整等によって変化するから、各時刻において熱源温度及び室温からリアルタイムで予測演算を行うのが望ましい。
【００１３】
なお、熱源温度及び室温の組合せに基づく解除時期の予測演算は、上記の温度上昇抑制制御とは切り離して単独で利用することが可能である。
【００１４】
望ましくは、前記Ｘ線測定装置は、被検体中の骨部の骨密度を測定する骨密度測定装置であって、前記Ｘ線発生ユニットを収容した下部と、前記下部の上方に被検体収容空間を間において設けられＸ線検出ユニットを収容した上部と、を含み、前記熱源温度検出器は前記Ｘ線発生ユニット内であってＸ線発生管を収容している媒体充填容器の内部又は外部に設けられ、前記室温検出器は前記上部に設けられる。この構成によれば、室温検出器への熱源からの熱伝導を防止できるから、より正確な室温を測定できる。
【発明の効果】
【００１５】
本発明によれば、Ｘ線発生ユニットの強制停止という事態をできるだけ回避できあるいはそのような事態の発生をできるだけ遅らせることが可能である。
【図面の簡単な説明】
【００１６】
【図１】本発明に係る骨密度測定装置の好適な実施形態を示すブロック図である。
【図２】温度上昇抑制制御の内容を示す図である。
【図３】温度上昇カーブを示す説明図である。
【図４】再開予測時間の演算及び表示を説明するための図である。
【図５】再開予測時間を演算するためのテーブルの一例を示す図である。
【発明を実施するための形態】
【００１７】
以下、本発明の好適な実施形態を図面に基づいて説明する。
【００１８】
図１には、本発明に係るＸ線測定装置の好適な実施形態が示されており、図１に示すＸ線測定装置は骨密度測定装置である。本発明は他のＸ線測定装置に適用することも可能である。
【００１９】
図１において、骨密度測定装置は、被検体における骨部の骨密度（骨塩量）を測定する装置である。骨密度測定装置は病院などの医療機関に設置されている。特に、放射線管理区域内に設置されるものである。それは、一般に測定室を構成し、その測定室には室温を調整するための空調設備が設けられている。空調設備の設定温度を変更することにより、室温を調整することが可能である。
【００２０】
骨密度測定装置は、図１に示されるように測定部１０及びコントローラ１２を有している。コントローラ１２は例えばパーソナルコンピュータなどによって構成されるものである。
【００２１】
測定部１０について説明する。測定部１０は大別して下部１０Ａ、中間部１０Ｂ及び上部１０Ｃを有している。下部１０Ａにはベッド１４が設けられ、そのベッド１４上に被検者（被検体）１６が設置される。測定部１０はそれ全体として被検者の中心軸方向に伸長しており、被検者１６は例えば仰向けの状態でベッド１４上に載せられる。
【００２２】
下部１０Ａ内には、Ｘ線発生ユニット１８が設けられている。Ｘ線発生ユニット１８はケースを有し、そのケース内にはＸ線発生管２０が設けられている。ケース内には絶縁油が充填されている。ケースの内側面には本実施形態において熱源温度（装置内温度）を測定する温度センサ２１が設けられている。Ｘ線発生管２０に対しては高電圧源２２から電力が供給される。Ｘ線の発生に伴って、Ｘ線発生管２０は熱を発生し、このためＸ線発生ユニット１８は温度上昇する。温度の上限に到達した場合、それが温度センサ２１によって検出され、後に説明する温度制御部５０によってＸ線発生ユニット１８すなわちＸ線発生管２０の動作が強制的に停止される。これは従来の骨密度装置と同様の制御である。ただし、本実施形態においては温度制御部５０がそのような強制停止の事態が生じないように、あるいはそのような事態ができるだけ遅くなってから発生するように、温度上昇抑制制御を実行している。その内容については後に詳述する。
【００２３】
Ｘ線発生ユニット１８の上部にはフィルタユニット２４が設けられている。フィルタユニット２４は高エネルギーＸ線及び低エネルギーＸ線を交互に発生するためのフィルタセット２６を有し、そのフィルタセット２６は図１に示す例においてドラム形状を有している。フィルタセット２６はモータ３０によって回転駆動されている。高電圧源２２による印加電圧の制御により高エネルギーＸ線及び低エネルギーＸ線が生成されるようにしてもよい。符号２３はＸ線ビームを示しており、本実施形態においてはファンビームが生成されている。
【００２４】
下部１０Ａは水平方向に伸長した箱状の形態を有しており、その側面にはいくつかの通気孔が形成されている。下部１０Ａにはそれらの通気孔に対応して複数の冷却用ファン３２，３４，３６，３８が設けられており、図示の例においては４つのファンが設けられている。それぞれのファンは吸い込みファンあるいは吹き出しファンである。いずれにしても、それらによって下部１０Ａの内部に対して、より具体的にはＸ線発生ユニット１８に対して、空冷を行うことができる。もちろん水冷方式が適用されてもよい。
【００２５】
上部１０Ｃは被検体１６を収容する測定空間の上方に設けられ、その上部１０Ｃ内にはＸ線検出ユニット４０が設けられている。本実施形態においてＸ線検出ユニット４０は一次元配列された複数のＸ線センサにより構成されている。それらの検出信号が後に説明する骨密度画像形成部４４へ出力されている。
【００２６】
上部１０Ｃの中あるいは外に、温度センサ４２が設けられている。この温度センサ４２は装置外温度すなわち室温を測定するセンサである。このように上部１０Ｃに温度センサ４２を設ければ、熱源であるＸ線発生ユニット１８からの熱の回り込みという問題を回避することが可能である。したがって、正確な室温を測定可能である。
【００２７】
符号４６は搬送機構を示しており、その搬送機構４６は測定ユニット１８及び検出ユニット４０を両者一体として体軸方向すなわち紙面垂直方向に移動させるものである。これによってファンビーム形状のＸ線ビーム２３が直線的に運動して二次元のデータ取り込み領域が形成される。もちろん本実施形態においてペンシルビームが形成されるようにしてもよい。その場合においては二次元のジグザグスキャンが実行される。上述したように、各測定位置ごとに高エネルギーＸ線及び低エネルギーＸ線が交互に照射され、それらに対応する２つの検出データが取得されることになる。
【００２８】
次にコントローラ１２について説明する。コントローラ１２は図示されるように、骨密度画像形成部４４、制御部４８、表示部４７等を有している。制御部４８はその主要機能として温度制御機能を備え、それが温度制御部５０として表されている。
【００２９】
骨密度画像形成部４４は、上述した検出データに基づいて被検者についての骨部を表す骨密度画像（二次元画像）を形成するモジュールである。その画像データは表示部４７に送られ、表示部４７の表示画面上には骨密度画像が表示される。制御部４８は上述した温度制御部５０としての機能のほか、画像解析機能を有しており、骨密度画像上において設定される関心領域内における平均骨密度等の各種の情報を演算する。その演算結果も表示部４７へ送られる。
【００３０】
温度制御部５０は測定ユニット１８つまり熱源の温度を管理し、その温度上昇を抑制する制御を実行するモジュールである。そのような制御を行うため、温度センサ２１，４２からの出力信号が温度制御部５０に与えられている。温度制御部５０は装置内温度（熱源温度）及び装置外温度（室温）の組み合わせに基づき、熱源としてのＸ線発生ユニット１８における温度上昇を抑制する制御を実行する。その制御の内容には表示部４７へのメッセージ表示、動作条件の変更等が含まれる。これに関して、以下に図２を用いて詳述する。
【００３１】
符号５２は装置内温度すなわち熱源温度を示している。それは図示の例において、４つの区分に分けられており、すなわち正常温度、警告レベル（低）、警告レベル（中）、警告レベル（高）に区分されている。装置外温度５４は室温を意味しており、それは本実施形態において、高または低の２つの区分によって区別されている。もちろん三段階以上の区分を設定するようにしてもよい。装置内温度５２と装置外温度５４との組み合わせに基づき、温度抑制制御の内容として検査者に対してメッセージ５６が提供され、また装置動作条件として制御内容５８が適用される。
【００３２】
例えば符号６０で示す通常の場合には、格別な制御は実行されていない。符号６２で示すように、警告レベル（低）であって装置外温度が高であれば、図示されるように室温を下げる指示及び被検者の測定間隔を２分間以上とする指示が表示される。それとともに冷却ファンを１個動作させる制御及びその冷却ファンを低速で回転させる制御が実行される。次に、符号６４で示すように装置内温度５２が警告レベル（低）であって装置外温度５４が低であれば、メッセージ５６として被検者の測定間隔を２分間以上とする指示だけが表示され、また制御内容５８として上記同様のものが適用される。すなわち、既に室温がある程度下がっているため、室温を下げる指示は格別出されておらず、測定間隔を長くしつつ、空冷度合いを若干高めることにより温度上昇の抑制を図るものである。
【００３３】
符号６６で示されるように、装置内温度５２が警告レベル（中）であって装置外温度５４が高であれば、メッセージ５６として室温を下げる指示、測定間隔をより長くすべき指示、高精度モードでの測定を控えるべき指示、ラテラル測定を控える指示、が出され、また制御内容５８として冷却ファンを２個動作させる制御及びそれらの冷却ファンを中速で回転させる制御が実行される。高精度モードではゆっくりとした速度での測定が行われるため、測定時間が長くなって発熱量が増大するためにそのような測定を控えるべき指示が出される。同様にラテラル測定では長く大きな範囲に渡って測定が行われ、測定時間が増大するために、上記同様にそのような測定を控えるべき指示が出される。符号６８で示されるように、装置内温度５２が警告レベル（中）であって装置外温度５４が低であれば、メッセージとして測定間隔を５分間以上とする指示、高精度モードでの測定やラテラル測定を控えるべき指示が出される。その場合においては、既に室温はある程度下がっていると認められ、室温を下げるべき指示は出されていない。制御内容５８としては上記同様のものが適用される。
【００３４】
符号７０で示すように、装置内温度５２が警告レベル（高）であって装置外温度が高であれば、メッセージ５６として室温を下げる指示及び装置が冷却するまで動作させることができないという通知が出される。すなわち、その段階においては装置の動作が強制的に停止されており、空冷をより高めるための措置が適用される。制御内容５８としては、冷却ファンを４個全て動作させる制御、それらの冷却ファンを高速で回転させる制御、Ｘ線照射を禁止する制御、Ｘ線フィルタの回転動作を停止させる制御が実行される。すなわちできるだけ発熱が生じないような状態かつ空冷が促進される状態が形成される。その際において、ユーザーに対しては動作できない旨のメッセージが提供される。符号７２で示すように、装置内温度５２が警告レベル（高）であって装置外温度５４が低であれば、メッセージ５６として装置が冷却するまで動作できない旨が通知され、制御内容５８として上記同様のものが適用される。
【００３５】
以上のように、装置内温度５２すなわち熱源温度と、装置外温度５４すなわち室温と、の組み合わせに基づいて、ユーザーに対して所定の行為を促しかつ装置の動作条件を適用的に変更することにより、熱源の温度上昇を抑制でき、温度上限に到達する時刻を遅らせることができ、あるいはそのような事態が生じないようにすることが可能である。また、冷却の必要がない場合においては過剰冷却を防止できるから省エネルギーを実現できる。
【００３６】
図３には温度上昇カーブが示されている。横軸は時間軸であり、縦軸は装置内温度すなわち熱源温度を示している。符号８０は何らの制御も行わない場合を示しており。この場合においては測定開始から徐々に熱源温度が上昇し、警告レベル（高）７４に到達した時点すなわち符号８６で示す時点をもって装置の動作が強制的に停止されている。一方、本実施形態においては、警告レベル（低）７８及び警告レベル（中）７６が設定されており、それぞれに到達した時点でそれらに最適な制御内容が適用されるから、符号８２及び符号８４に示すように、警告レベル（高）への到達を未然に回避でき、あるいはそのような事態が生じるとしても、その発生時刻をかなり遅らせることが可能となる。
【００３７】
次に、図４及び図５に基づいて再開予測時間の演算表示について説明する。装置が強制的に停止された状態において、Ｘ線発生ユニットが一定程度まで冷却されてその使用が可能になる時期が検査者において不明であると、検査の妨げとなったり、被検者に無用な負担を生じさせたりするという問題がある。そこで、本実施形態においては、符号８８で示すステップにおいて、装置内温度及び装置外温度に基づいて動作の再開が可能になる時間、すなわち再開予測時間が演算される。その際においては以下に説明するテーブル等が利用される。符合９０で示すステップにおいては、そのように演算された再開予測時間が画面上に表示される。その一例が符号９２で示されており、そこにはＸ線照射の再開時期に関する情報が含まれており、すなわち現時点からおよそどのくらい待たなければならないかの情報が提供されている。それとともに室温を下げた場合に再開予測時間がどの程度になるかの情報も表示されている。
【００３８】
図５には、再開予測時間を演算する際に参照されるテーブルが示されている。横軸９４は装置外温度を示しており、縦軸９６は装置内温度を示している。各セル９８は時間を表している。例えば、装置内温度がある特定の温度であり、装置外温度がある特定の温度であれば、それらによって定まるセルが参照され、そこに記入されている時間情報に基づいて再開予測時間が演算される。装置内温度及び装置外温度とも時間的に変化する可能性があり、上記実施形態においては各時刻ごとにそれらの温度が参照され、それらによって定まる時間が表示されている。したがって、ユーザーはあとどの程度待てば測定の開始が可能になるのかの目安を得ることが可能である。図５に示す例では装置内温度と装置外温度の組み合わせが参照されていたが、さらに他の情報が参照されるようにしてもよい。
【００３９】
いずれにしても、温度上昇による強制停止に至る前に温度上昇の抑制を行う制御を適用すれば動作の強制停止といった事態を防止でき、あるいはそのような事態の発生時期を遅らせることが可能である。また、強制停止が生じた場合においても冷却を早めるための措置を適用できるからそのような強制停止期間を短くすることができ、しかもその間において予測再開が可能となる時刻情報を提供できるから検査者にとって便利である、上記実施形態においては骨密度測定装置を取り上げたが、本発明は他のＸ線測定装置に適用することも可能である。
【符号の説明】
【００４０】
１０  測定部、１２  コントローラ、１８  Ｘ線発生ユニット、２０  Ｘ線発生管、２１  温度センサ、２４  フィルタユニット、４０  Ｘ線検出ユニット、４２  温度センサ、５０  温度制御部。
【図１】
2013150695.tif 000003
【図２】
2013150695.tif 000004
【図３】
2013150695.tif 000005
【図４】
2013150695.tif 000006
【図５】
2013150695.tif 000007